(57)【要約】【課題】物品を出し入れし易くする仕切部材を有するバッグを実現する。【解決手段】バッグ本体１と、バッグ本体１の背面部に取り付けられたショルダーストラップ２と、を備えたバッグ１００であって、バッグ本体１内には、左右両端がバッグ本体１における背面部の内面に固定されてなる仕切部材１０が配設されており、その仕切部材１０の両側には伸縮可能な蛇腹部１１が形成されているようにした。また、仕切部材１０とバッグ本体１の内面との間には、仕切部材１０の横幅に相当する開口を有して上下に貫通している収納空間があり、その収納空間に収容した物品をバッグ本体１の内面側に寄せて保持するためのベルト部材２０が配設されているようにした。【選択図】図１
0003228752.tif 000002
【実用新案登録請求の範囲】
【請求項１】
バッグ本体と、前記バッグ本体の背面部に取り付けられたショルダーストラップと、を備えたバッグであって、
前記バッグ本体内には、左右両端が前記バッグ本体の内面に固定されてなる仕切部材が配設されており、
前記仕切部材の両側には、伸縮可能な蛇腹部が形成されていることを特徴とするバッグ。
【請求項２】
前記仕切部材は、前記バッグ本体における背面部の内面に配設されていることを特徴とする請求項１に記載のバッグ。
【請求項３】
前記仕切部材と前記バッグ本体の内面との間に、前記仕切部材の横幅に相当する開口を有して上下に貫通している収納空間を有することを特徴とする請求項１又は２に記載のバッグ。
【請求項４】
前記仕切部材と前記バッグ本体の内面との間隔を調整するためのベルト部材を備えたことを特徴とする請求項１〜３のいずれか一項に記載のバッグ。
【請求項５】
前記ベルト部材は、前記仕切部材を前記バッグ本体の内面に近接させるようにして、前記仕切部材と前記バッグ本体の内面との間に収容した物品を前記バッグ本体の内面側に寄せるように構成されていることを特徴とする請求項４に記載のバッグ。
【請求項６】
前記蛇腹部の伸縮に応じて弾性変形する伸縮部材が設けられていることを特徴とする請求項１〜５のいずれか一項に記載のバッグ。
【請求項７】
前記伸縮部材は、略「く」字形状に折り曲げられた帯状のゴム材であり、
前記バッグ本体に固定されている前記仕切部材の縁に沿って離間した位置に前記ゴム材の両端部が縫着され、前記ゴム材の折曲部分が前記仕切部材における前記蛇腹部を跨いだ位置に縫着されていることを特徴とする請求項６に記載のバッグ。 
【考案の詳細な説明】
【技術分野】
【０００１】
本考案は、バッグに関し、特に背中に背負うタイプのバッグに関する。
【背景技術】
【０００２】
従来、背中に背負うタイプのバッグとしてショルダーストラップを備えたバックパック型のバッグがある。
このようなバッグには、そのバッグ内に物品を整理して収容するために幾つかのコンパートメントを有しているものがある。
例えば、自由端側に面ファスナーが設けられている左右一対の布状の仕切部材がバッグの内面に配設されており、その仕切部材を重ね合わせて面ファスナー同士を貼着することで、仕切部材によって囲われてなるコンパートメントを形成することができるバッグが知られている（例えば、特許文献１参照。）。
【先行技術文献】
【特許文献】
【０００３】
【特許文献１】特開２０１９−１０２４９号公報
【考案の概要】
【考案が解決しようとする課題】
【０００４】
しかしながら、上記特許文献１のバッグの場合、仕切部材を重ね合わせて形成するコンパートメントに物品を収容し難いことや、そのコンパートメントに収容した物品を取り出し難いことがあるという問題があった。
例えば、自立させることができない物品をそのコンパートメントに収容する際、物品を支えつつ仕切部材を重ね合わせることが困難であり、なかなか物品を収容できないことがあった。
また、そのコンパートメントに収容した複数の物品のうちのいずれかを取り出そうとして重ね合わせた仕切部材を開いた際に、所望する物品以外あるいは全ての物品が仕切部材の間から出てきてしまうことがあった。
【０００５】
本考案の目的は、物品を出し入れし易くする仕切部材を有するバッグを提供することである。
【課題を解決するための手段】
【０００６】
以上の課題を解決するため、請求項１に記載の考案は、
バッグ本体と、前記バッグ本体の背面部に取り付けられたショルダーストラップと、を備えたバッグであって、
前記バッグ本体内には、左右両端が前記バッグ本体の内面に固定されてなる仕切部材が配設されており、
前記仕切部材の両側には、伸縮可能な蛇腹部が形成されていることを特徴とする。
【０００７】
請求項２に記載の考案は、請求項１に記載のバッグにおいて、
前記仕切部材は、前記バッグ本体における背面部の内面に配設されていることを特徴とする。
【０００８】
請求項３に記載の考案は、請求項１又は２に記載のバッグにおいて、
前記仕切部材と前記バッグ本体の内面との間に、前記仕切部材の横幅に相当する開口を有して上下に貫通している収納空間を有することを特徴とする。
【０００９】
請求項４に記載の考案は、請求項１〜３のいずれか一項に記載のバッグにおいて、
前記仕切部材と前記バッグ本体の内面との間隔を調整するためのベルト部材を備えたことを特徴とする。
【００１０】
請求項５に記載の考案は、請求項４に記載のバッグにおいて、
前記ベルト部材は、前記仕切部材を前記バッグ本体の内面に近接させるようにして、前記仕切部材と前記バッグ本体の内面との間に収容した物品を前記バッグ本体の内面側に寄せるように構成されていることを特徴とする。
【００１１】
請求項６に記載の考案は、請求項１〜５のいずれか一項に記載のバッグにおいて、
前記蛇腹部の伸縮に応じて弾性変形する伸縮部材が設けられていることを特徴とする。
【００１２】
請求項７に記載の考案は、請求項６に記載のバッグにおいて、
前記伸縮部材は、略「く」字形状に折り曲げられた帯状のゴム材であり、
前記バッグ本体に固定されている前記仕切部材の縁に沿って離間した位置に前記ゴム材の両端部が縫着され、前記ゴム材の折曲部分が前記仕切部材における前記蛇腹部を跨いだ位置に縫着されていることを特徴とする。
【考案の効果】
【００１３】
本考案によれば、物品を出し入れし易くする仕切部材を有するバッグが得られる。
【図面の簡単な説明】
【００１４】
【図１】本考案に係るバッグの斜視図（ａ）と、バッグ内の仕切部材を示す説明図（ｂ）である。
【図２】バッグ内の仕切部材に関する説明図である。
【考案を実施するための形態】
【００１５】
以下、図面を参照して、本考案に係るバッグの実施形態について詳細に説明する。
【００１６】
本実施形態のバッグ１００は、例えば、図１（ａ）に示すように、バッグ本体１と、バッグ本体１の背面部に取り付けられたショルダーストラップ２と、を備えたバックパック型のバッグであり、背中に背負って使用するタイプのものである。
具体的には、このバッグ１００は、物品を収容するバッグ本体１と、一対のストラップ３，３がネック部４を介して繋がれてなるショルダーストラップ２等を備えている。
【００１７】
ショルダーストラップ２の中間部分がネック部４であり、ショルダーストラップ２の両端側がストラップ３とされており、このショルダーストラップ２におけるネック部４がバッグ本体１の背面部の上部に縫着されて取り付けられ、一対のストラップ３，３の端部がそれぞれバッグ本体１の背面部の下部に接続されている。
なお、ショルダーストラップ２のネック部４は、人体の肩や首の後ろ側に当たる部分である。
【００１８】
また、一対のストラップ３，３の端部にはそれぞれバックル（図示省略）が取り付けられている。
また、バッグ本体１の背面部の下部の両側にはそれぞれ帯状体５が縫着されている。
この帯状体５をストラップ３の端部のバックル（図示省略）に通して、ストラップ３とバッグ本体１を接続している。
なお、帯状体５をバックルに通す長さを調整することで、人体へのショルダーストラップ２の密着度を調整することができる。
【００１９】
バッグ本体１は、ファスナーなどで開閉が可能な開口を有する袋体であり、その内部に各種物品を収納することができる。
このバッグ本体１内には、例えば、図１（ｂ）、図２に示すように、バッグ本体１の内面に固定された仕切部材１０が配設されている。
具体的には、仕切用のシート材の左右両端がバッグ本体１における背面部の内面に縫着されてなる仕切部材１０がバッグ本体１内に配設されている。
この仕切部材１０によって、バッグ本体１内の背面部側に上下に貫通するように仕切られた収納空間がつくられている。
つまり、仕切用のシート材の上縁と下縁はバッグ本体１に縫着されておらず、仕切部材１０の上縁側と下縁側にその仕切部材１０の横幅に相当する開口を有して上下に貫通した収納空間がつくられている。
ここでの仕切部材１０は、例えば、バッグ本体１の背面部の内面の１／２から２／３程度を覆う大きさを有しており、その内面の下寄りの位置に取り付けられている。
【００２０】
特に、この仕切部材１０の左右の両側には、伸縮可能な蛇腹部１１が形成されている。
仕切部材１０の両側に蛇腹部１１が形成されていることで、仕切部材１０とバッグ本体１の内面との間の収納空間を広げたり狭めたりすることができる。
ここでの蛇腹部１１は、１段折り（１山折り）の蛇腹であるが、その折り目の数は任意である。
【００２１】
また、仕切部材１０の材料である仕切用のシート材は、例えば、発泡ポリエチレンシートなどの緩衝材を含んで構成されており、仕切部材１０はクッション性を有している。
【００２２】
また、バッグ本体１内には、例えば、図１（ｂ）、図２に示すように、仕切部材１０とバッグ本体１の内面との間隔を調整するためのベルト部材２０が設けられている。
このベルト部材２０は、バックル２１ａが取り付けられている第１ベルト２１と、面ファスナー２２ａ、２２ｂが取り付けられている第２ベルト２２を有しており、図中、第１ベルト２１が仕切部材１０の右側に設けられ、第２ベルト２２が仕切部材１０の左側に設けられており、仕切部材１０に重ねるように第１ベルト２１と第２ベルト２２が接続されるようになっている。
具体的には、第１ベルト２１の一端部が仕切部材１０の右縁側に縫着されており、その第１ベルト２１の他端部にバックル２１ａが取り付けられている。
また、第２ベルト２２の一端部が仕切部材１０の左縁側に縫着されており、その第２ベルト２２の他端側が第１ベルト２１のバックル２１ａに通されるようになっている。例えば、この第２ベルト２２の一端部側にメス型の面ファスナー２２ａが取り付けられ、他端部側にオス型の面ファスナー２２ｂが取り付けられている。
そして、第１ベルト２１のバックル２１ａに第２ベルト２２を通して、そのバックル２１ａにて第２ベルト２２を折り返し、メス型の面ファスナー２２ａにオス型の面ファスナー２２ｂを係着させるようにして、ベルト部材２０を締めることができる。
このベルト部材２０の折り返し部分を長くするように締め付けるようにすれば、仕切部材１０をバッグ本体１の内面に寄せることができる。
つまり、ベルト部材２０は、仕切部材１０をバッグ本体１の内面に近接させるようにして、仕切部材１０とバッグ本体１の内面との間に収容した物品をバッグ本体１の内面側に寄せる機能を有している。
なお、このベルト部材２０は、仕切部材１０の上下方向中央よりも上側に設けられている。
【００２３】
また、仕切部材１０には、例えば、図１（ｂ）、図２に示すように、蛇腹部１１の伸縮に応じて弾性変形する伸縮部材３０が設けられている。
この伸縮部材３０は、帯状のゴム材からなり、仕切部材１０における左右の蛇腹部１１に対して取り付けられている。
具体的には、伸縮部材３０は、略「く」字形状に折り曲げられた帯状のゴム材であり、バッグ本体１に固定されている仕切部材２０の縁に沿って上下に離間した位置にゴム材の両端部が縫着され、そのゴム材の折曲部分が仕切部材１０における蛇腹部１１を跨いだ位置に縫着されている。
つまり、伸縮部材３０のゴム材は、蛇腹部１１を斜めに跨ぐように取り付けられている。
この伸縮部材３０は、蛇腹部１１が折り畳まれて縮められる方向に収縮している。
なお、この伸縮部材３０は、仕切部材１０の上下方向中央よりも下側に設けられている。
【００２４】
以上のように、本実施形態のバッグ１は、バッグ本体１にショルダーストラップ２（一対のストラップ３，３）が設けられているバックパック型のバッグであり、左右のストラップ３とバッグ本体１の間にユーザーの腕をそれぞれ通すようにして背負うことができる。
そして、このバッグ１のバッグ本体１内の背面部側には仕切部材１０が配設されているので、バッグ本体１のメインコンパートメントに収容するものとは分けておきたい物品を、その仕切部材１０によって仕切られた収納空間に収容することができる。
このバッグ１の仕切部材１０の両側には蛇腹部１１が設けられており、その収納空間に収容する物品の大きさに応じて変形し易くなっているので、物品を出し入れし易くなっている。
【００２５】
また、この仕切部材１０はクッション性を有しているので、収納空間に収容した物品を覆って保護することができる。
また、仕切部材１０の収納空間に物品を収容していない場合、その仕切部材１０はバッグ１の背面部のクッションとなり、ユーザーがバッグ１を快適に背負い易くなる。
【００２６】
特に、バッグ１の仕切部材１０にはベルト部材２０が設けられているので、仕切部材１０の収納空間に収容した物品をバッグ本体１の背面部側に寄せて保持することができる。
例えば、バッグ１（バッグ本体１）内に収容した物品がバッグ１の中で動いてしまうと、バッグ１を背負っているユーザーが不快に感じることや、その物品の位置の変動により重心がずれたことでバッグ１を背負っているユーザーがバランスを崩してしまうことがある。なお、その物品が重量物であるほど、ユーザーが不快に感じたりバランスを崩したりし易くなる傾向がある。
そこで、このバッグ１のように、ベルト部材２０の締め付けによって、仕切部材１０の収納空間に収容した物品をバッグ本体１の背面部側に寄せて保持するようにすれば、その収納空間に収容した物品がバッグ１の中で動いてしまうことがないので、その物品をバッグ１（バッグ本体１）内に安定的に収容することができる。
そして特に、バッグ１（バッグ本体１）内に収容した物品をバッグ本体１の背面部側に寄せて保持するようにすれば、そのバッグ１を背負ったユーザーの肩への負担を軽減させることができる。その物品が重量物であるほど、その負担軽減効果は顕著に表れる。
【００２７】
また、バッグ１の仕切部材１０の左右両側には一対の伸縮部材３０が設けられているので、仕切部材１０の収納空間に収容した物品をバッグ本体１の背面部側に寄せ易くなっている。
【００２８】
このように、本実施形態のバッグ１であれば、仕切部材１０によって仕切られた収納空間に物品を収容することができ、好適に物品を出し入れすることができる。
【００２９】
なお、本考案の適用は上述した実施形態に限定されることなく、本発明の趣旨を逸脱しない範囲で適宜変更可能である。
【符号の説明】
【００３０】
１      バッグ本体
２      ショルダーストラップ
３      ストラップ
４      ネック部
５      帯状体
１０    仕切部材
１１    蛇腹部
２０    ベルト部材
２１    第１ベルト
２１ａ  バックル
２２    第２ベルト
２２ａ  面ファスナー
２２ｂ  面ファスナー
１００  バッグ
【図１】
0003228752.tif 000003
【図２】
0003228752.tif 000004